(57)【要約】【課題】コンテンツの視聴者の行動に対する効果を分析することを可能とする。【解決手段】実施形態のシステムは、入力部と、出力部と、を備える。入力部は、それぞれの視聴者による第１コンテンツの視聴に関する第１視聴情報と、それぞれの視聴者による第２コンテンツの視聴に関する第２視聴情報と、それぞれの視聴者によってなされた行動に関する行動情報とが入力される。出力部は、第１行動が指定されるとき、第１行動を行った複数の視聴者を母集団として、第１コンテンツの視聴の状況に関する情報と、第２コンテンツの視聴の状況に関する情報とを出力する。【選択図】図４
2016103216.tif 000002
【特許請求の範囲】
【請求項１】
それぞれの視聴者による第１コンテンツの視聴に関する第１視聴情報と、それぞれの視聴者による第２コンテンツの視聴に関する第２視聴情報と、それぞれの視聴者によってなされた行動に関する行動情報とが入力される入力部と、
第１行動が指定されるとき、前記第１行動を行った複数の視聴者を母集団として、前記第１コンテンツの視聴の状況に関する情報と、前記第２コンテンツの視聴の状況に関する情報とを出力する出力部と、
を備えたシステム。
【請求項２】
前記第１行動は、第１商品を購買したこと、第１サービスを利用したこと、第１サイトの閲覧又は使用したこと、第１地域に移動又は滞在したことのいずれか１つである、
請求項１に記載のシステム。
【請求項３】
前記第１行動は、第１コンテンツを視聴したこと、同じシリーズの複数のコンテンツを視聴したこと、同一コンテンツを複数回視聴したことのいずれか１つである、
請求項１に記載のシステム。
【請求項４】
前記第１コンテンツの視聴の状況に関する情報、又は前記第２コンテンツの視聴の状況に関する情報の少なくとも一方は、当該コンテンツがライブで放映中に視聴されたか、当該コンテンツが録画されライブで放映された後に視聴されたかによって区別された情報である、
請求項１に記載のシステム。
【請求項５】
前記第１コンテンツの視聴の状況に関する情報、又は前記第２コンテンツの視聴の状況に関する情報の少なくとも一方は、母集団である視聴者の全体の視聴に関する状況と、母集団の一部である視聴者の年代ごとの視聴に関する状況との差分に関する情報である、
請求項１に記載のシステム。
【請求項６】
前記第１行動に加えて、第２地域が指定されるとき、前記第１コンテンツの視聴の状況に関する情報、又は前記第２コンテンツの視聴の状況に関する情報の少なくとも一方は、前記第２地域に対応する視聴者の視聴に関する状況に関する情報である、
請求項１に記載のシステム。
【請求項７】
それぞれの視聴者による第１コンテンツの視聴に関する第１視聴情報と、それぞれの視聴者による第２コンテンツの視聴に関する第２視聴情報と、それぞれの視聴者によってなされた行動に関する行動情報とが入力され、
第１行動が指定されるとき、前記第１行動を行った複数の視聴者を母集団として、前記第１コンテンツの視聴の状況に関する情報と、前記第２コンテンツの視聴の状況に関する情報とを出力する、
ことを含む方法。
【請求項８】
前記第１行動は、第１商品を購買したこと、第１サービスを利用したこと、第１サイトの閲覧又は使用したこと、第１地域に移動又は滞在したことのいずれか１つである、
請求項７に記載の方法。
【請求項９】
前記第１行動は、第１コンテンツを視聴したこと、同じシリーズの複数のコンテンツを視聴したこと、同一コンテンツを複数回視聴したことのいずれか１つである、
請求項７に記載の方法。
【請求項１０】
前記第１コンテンツの視聴の状況に関する情報、又は前記第２コンテンツの視聴の状況に関する情報の少なくとも一方は、前記第１コンテンツがライブで放映中に視聴されたか、前記第１コンテンツが録画されライブで放映された後に視聴されたかによって区別された情報である、
請求項７に記載の方法。
【請求項１１】
前記第１コンテンツの視聴の状況に関する情報、又は前記第２コンテンツの視聴の状況に関する情報の少なくとも一方は、母集団である視聴者の全体の視聴に関する状況と、母集団の一部である視聴者の年代ごとの視聴に関する状況との差分に関する情報である、
請求項７に記載の方法。
【請求項１２】
前記第１行動に加えて、第２地域が指定されるとき、前記第１コンテンツの視聴の状況に関する情報、又は前記第２コンテンツの視聴の状況に関する情報の少なくとも一方は、前記第２地域に対応する視聴者の視聴に関する状況に関する情報である、
請求項７に記載の方法。
【請求項１３】
それぞれの視聴者による第１コンテンツの視聴に関する第１視聴情報と、それぞれの視聴者による第２コンテンツの視聴に関する第２視聴情報と、それぞれの視聴者によってなされた行動に関する行動情報とが入力され、
第１行動が指定されるとき、前記第１行動を行った複数の視聴者を母集団として、前記第１コンテンツの視聴の状況に関する情報と、前記第２コンテンツの視聴の状況に関する情報とを出力する、
ことをコンピュータに実行させるためのプログラム。
【請求項１４】
前記第１行動は、第１商品を購買したこと、第１サービスを利用したこと、第１サイトの閲覧又は使用したこと、第１地域に移動又は滞在したことのいずれか１つである、
ことを前記コンピュータに実行させるための請求項１３に記載のプログラム。
【請求項１５】
前記第１行動は、第１コンテンツを視聴したこと、同じシリーズの複数のコンテンツを視聴したこと、同一コンテンツを複数回視聴したことのいずれか１つである、
ことを前記コンピュータに実行させるための請求項１３に記載のプログラム。
【請求項１６】
前記第１コンテンツの視聴の状況に関する情報、又は前記第２コンテンツの視聴の状況に関する情報の少なくとも一方は、前記第１コンテンツがライブで放映中に視聴されたか、前記第１コンテンツが録画されライブで放映された後に視聴されたかによって区別された情報である、
ことを前記コンピュータに実行させるための請求項１３に記載のプログラム。
【請求項１７】
前記第１コンテンツの視聴の状況に関する情報、又は前記第２コンテンツの視聴の状況に関する情報の少なくとも一方は、母集団である視聴者の全体の視聴に関する状況と、母集団の一部である視聴者の年代ごとの視聴に関する状況との差分に関する情報である、
ことを前記コンピュータに実行させるための請求項１３に記載のプログラム。
【請求項１８】
前記第１行動に加えて、第２地域が指定されるとき、前記第１コンテンツの視聴の状況に関する情報、又は前記第２コンテンツの視聴の状況に関する情報の少なくとも一方は、前記第２地域に対応する視聴者の  に関する情報である、
ことを前記コンピュータに実行させるための請求項１３に記載のプログラム。
【発明の詳細な説明】
【技術分野】
【０００１】
本発明の実施形態は、システム、方法およびプログラムに関する。
【背景技術】
【０００２】
近年、ビッグデータ分析の一つとしてテレビの視聴率などの視聴情報の分析が行われている。このような分析による結果は、種々の分野で活用することができる。
【先行技術文献】
【特許文献】
【０００３】
【特許文献１】特開２０１０−２８３５０５号公報
【発明の概要】
【発明が解決しようとする課題】
【０００４】
このような従来技術においては、テレビ番組等のコンテンツに広告を流した場合に、そのコンテンツの視聴者の行動に対する効果を分析することが望まれている。
【課題を解決するための手段】
【０００５】
実施形態のシステムは、入力部と、出力部と、を備える。入力部は、それぞれの視聴者による第１コンテンツの視聴に関する第１視聴情報と、それぞれの視聴者による第２コンテンツの視聴に関する第２視聴情報と、それぞれの視聴者によってなされた行動に関する行動情報とが入力される。出力部は、第１行動が指定されるとき、第１行動を行った複数の視聴者を母集団として、第１コンテンツの視聴の状況に関する情報と、第２コンテンツの視聴の状況に関する情報とを出力する。
【図面の簡単な説明】
【０００６】
【図１】図１は、実施形態１の視聴システムのネットワーク構成の一例を示す図である。
【図２】図２は、実施形態１のサーバ、電子機器のハードウェア構成の一例を示すブロック図である。
【図３】図３は、実施形態１のサーバの機能的構成を示すブロック図である。
【図４】図４は、実施形態１の電子機器の機能的構成を示すブロック図である。
【図５】図５は、実施形態１の集計結果データのデータ構造の一例を示す図である。
【図６】図６は、実施形態１の表示処理の手順の一例を示すフローチャートである。
【図７】図７は、実施形態１の番組表形式の視聴データの表示の一例を示す図である。
【図８】図８は、実施形態１の変形例の視聴データの表示の一例を示す図である。
【図９】図９は、実施形態１の変形例の視聴データの表示の一例を示す図である。
【図１０】図１０は、実施形態２の視聴データの表示例を示す図である。
【図１１】図１１は、実施形態２の視聴データの他の表示例を示す図である。
【図１２】図１２は、実施形態３の視聴データの表示例を示す図である。
【図１３】図１３は、実施形態４のユーザインターフェースの一例を示す図である。
【図１４】図１４は、実施形態５の視聴データの表示例を示す図である。
【図１５】図１５は、実施形態６の視聴データの表示例を示す図である。
【発明を実施するための形態】
【０００７】
以下、実施形態について説明する。
（実施形態１）
図１は、実施形態１の視聴システムのネットワーク構成の一例を示す図である。図１に示すように、本実施形態の視聴システムは、クラウド上のサーバ１００と、サーバ１００にインターネット等のネットワークで接続可能な電子機器４００と、複数のＴＶ３００とを備えている。
【０００８】
サーバ１００は、複数のＴＶ３００から、放映された番組コンテンツに対する視聴者の視聴履歴、視聴者の行動情報を収集して集計し、集計結果を、電子機器４００に送信する。電子機器４００は、サーバ１００から集計結果を受信して、視聴率等の視聴情報を、視聴者の行動情報ごとに表示する。
【０００９】
図２は、実施形態１のサーバ１００、電子機器４００のハードウェア構成の一例を示すブロック図である。本実施形態のサーバ１００および電子機器４００は、図２に示すように、同一のハードウェア構成を有しており、ＣＰＵ２０１と、ＲＯＭ２０２と、ＲＡＭ２０３と、ＳＳＤ２０４と、ネットワークＩ／Ｆ２０７と、キーボードやマウス等の入力デバイス２０６と、ディスプレイ等の表示デバイス２０５とを主に備えている。
【００１０】
図３は、実施形態１のサーバ１００の機能的構成を示すブロック図である。本実施形態のサーバ１００は、図３に示すように、通信部１０２と、入力部１０１とを主に備えている。
【００１１】
通信部１０２は、ＴＶ３００や電子機器４００との通信を制御する。入力部１０１は、ＴＶ３００等から、それぞれの視聴者による、放送された番組コンテンツの視聴の状況に関する視聴情報が入力される。本実施形態では、入力部１０１に対して、番組コンテンツ（例えば、第１の番組コンテンツ、第２の番組コンテンツ）毎に番組コンテンツの視聴に関する視聴情報が入力される。
【００１２】
各視聴者（ユーザ）のコンテンツの視聴の状況に関する視聴情報とは、テレビジョン（例えば地上デジタル放送）、ＢＳ、ＣＳ等の放送、ＶＯＤ等の動画配信サービス等により提供されるコンテンツに対して、各々の視聴者が視聴したか否か、コンテンツのうち何割視聴したか、コンテンツを少なくとも一時的に視聴したか等の視聴の状況に関する情報であれば、どのようなものであってもよい。
【００１３】
また、入力部１０１は、所定の外部媒体等から、それぞれの視聴者によってなされた行動に関する行動情報が入力される。そして、入力部１０１は、収集した視聴履歴、行動情報を集計する。具体的には、入力部１０１は、収集した視聴履歴と行動情報から、全体の視聴率や行動情報ごとの視聴率等を含む視聴情報を集計結果データとして生成する。集計結果データは、通信部１０２によって電子機器４００に送信される。
【００１４】
本実施形態の行動情報とは、番組コンテンツの視聴者が行った行動を示すものである。行動情報としては、例えば、所定の商品を購買したことを示す購買情報、所定のサービスの提供を受けたことを示す利用情報、所定のＷＥＢサイトの閲覧又は使用したことを示す閲覧情報、所定の地域に移動又は滞在したことを示す移動情報のうち、いずれか１つ以上とするが、これらに制限されるものではない。なお、移動とは、少なくとも一瞬、所定の地域にいることを示し、滞在とは、少なくとも所定の期間（例えば一日）以上、所定の地域にいることを示す。
【００１５】
さらに、本実施形態の行動情報としては、視聴者が行った他の行動を示すものでも良い。例えば、所定のコンテンツを視聴したこと、同じシリーズの複数のコンテンツを視聴したこと、同一コンテンツを複数回視聴したことのうち、いずれか一つ以上を行動情報としても良い。シリーズとしては、例えば、ドラマ、映画、バラエティ、ＣＭなどが考えられる。
【００１６】
所定のコンテンツを視聴したことの例としては、１番組６０分のうち４５分以上視聴したことが考えられる。なお、視聴時間の算出において、早送り等の期間は除外する。
【００１７】
同じシリーズの複数のコンテンツを視聴したことの例としては、１シーズン１３回のうち８回以上視聴したことが考えられる。さらには、映画三部作のうち、２つ以上視聴したことが考えられる。
【００１８】
同一コンテンツを複数回視聴したことの例としては、長年にわたり、一週間に一回放送しているような番組において、３０回以上視聴したことが考えられる。さらに、同じシリーズのＣＭでは、３回以上視聴したことが考えられる。
【００１９】
図４は、実施形態１の電子機器４００の機能的構成を示すブロック図である。本実施形態の電子機器４００は、図４に示すように、通信部４０１と、抽出部４０２と、画像処理部４０３と、表示制御部４０４と、入力制御部４０５と、上記表示デバイス２０５と、上記入力デバイス２０６とを主に備えている。
【００２０】
通信部４０１は、サーバ１００等との通信を制御する。本実施形態では、通信部４０１は、サーバ１００で集計された集計結果データを受信する。
【００２１】
図５は、実施形態１の集計結果データのデータ構造の一例を示す図である。本実施形態の集計結果データは、図５に示すように、番組名と、チャンネルと、放送日時と、全体視聴率と、項目１、項目２、・・・とを含んでいる。番組名は視聴者が視聴した番組コンテンツの名称である。チャンネルは当該番組コンテンツが放映されるチャンネルである。放送日時は、当該番組名の番組コンテンツの放送日と放送時間である。全体視聴率は、当該番組名の番組コンテンツを行動情報で絞り込んでいない場合の視聴率である。項目１、項目２、・・・は、行動情報のそれぞれの視聴率あるいは視聴者数等である。
【００２２】
抽出部４０２は、サーバ１００から受信した集計結果データから、入力デバイス２０６でユーザにより指定された行動情報について視聴率等の視聴情報を抽出する。
【００２３】
画像処理部４０３は、集計結果データや、集計結果データから抽出部４０２で抽出された抽出データを、表示デバイス２０５に表示するための表示形式に整形したり、各種画像処理を行う。具体的には、本実施形態では、画像処理部４０３は、抽出データを、番組表形式等の所定の表示形式に整形して、かつ番組コンテンツごとの視聴率を濃淡で示した形式の画像に処理する。
【００２４】
表示制御部４０４は、表示デバイス２０５に対する表示制御を行う。本実施形態では、表示制御部４０４は、画像処理部４０３で、整形や画像処理がなされた集計結果データや抽出データを表示デバイス２０５に表示する。
【００２５】
入力制御部４０５は、入力デバイス２０６からの入力を制御する。本実施形態では、入力制御部４０５は、ユーザにより入力デバイス２０６を介して指定された行動情報の選択の入力を受け付ける。
【００２６】
次に、このように構成された本実施形態の電子機器４００による表示処理について説明する。図６は、実施形態１の表示処理の手順の一例を示すフローチャートである。ここで、電子機器４００は、既にサーバ１００から図５に示すような集計結果データを受信しているものとする。また、電子機器４００では、画像処理部４０３が、受信した集計結果データを番組表形式に整形して、視聴率を濃淡で示した形式（いわゆるヒートマップの形式）に画像処理して番組表形式の視聴データとし、表示制御部４０４が表示デバイス２０５にこの番組表形式の視聴データを表示しているものとする。
【００２７】
図７は、実施形態１の番組表形式の視聴データの表示の一例を示す図である。図７に示すように、視聴データは、中央にチャンネル毎の番組コンテンツの視聴率が、番組コンテンツの放映時間帯を示す矩形の濃淡で示されている。矩形内が濃い程、視聴率が高く、矩形内が薄い程、視聴率が低いことを示している。図６のフローチャートの処理の実行前は、図７に示す番組表形式の視聴データにおける視聴率は全視聴率を示している。図７において、符号７０２は、番組表から所望の番組を選択された場合に表示される番組の詳細情報である。
【００２８】
また、図７に示すように、視聴データの表示欄の左上方には、行動情報の選択ボタン７０１が表示されている。図７に示す行動情報としては、テレビＡの購入情報、ドリンクＢの購入情報、ＰＣ−Ｃの購入情報、ＸＸサービスの利用情報である。但し、これらは一例であり、行動情報およびその選択ボタン７０１はこれらに限定されるものではない。
【００２９】
図６に戻り、図７の画面が表示された状態で、入力待ち状態となっている（Ｓ１１：Ｎｏ）。行動情報の選択ボタン７０１から所望の行動情報をユーザが入力デバイス２０６で指定すると（Ｓ１１：Ｙｅｓ）、抽出部４０２は、選択された行動情報の視聴率を、集計結果データから抽出する（Ｓ１２）。そして、画像処理部４０３が抽出データを、番組表形式に整形して、視聴率を濃淡で示した形式に画像処理して番組表形式の視聴データとする（Ｓ１３）。そして、表示制御部４０４が表示デバイス２０５にこの番組表形式の選択された行動情報に対応した視聴データを表示する（Ｓ１４）。
【００３０】
例えば、行動情報の選択ボタンで、「ドリンクＢ」が指定されるとき、表示制御部４０４は、全視聴者（少なくとも複数の視聴者）のうち、ドリンクＢを購入した視聴者を母集団とした、番組コンテンツ毎の視聴の状況に関する情報（例えば、第１の番組コンテンツの視聴の状況に関する情報、及び第２の番組コンテンツの視聴に関する情報）に切り替えて表示する。
【００３１】
複数の視聴者を母集団とするコンテンツの視聴の状況に関する情報とは、テレビジョン（地上デジタル放送）、ＢＳ、ＣＳ等の放送、ＶＯＤ等の動画配信サービス等により提供されるコンテンツが、視聴者の全体又はある条件で絞られた視聴者の一部（母集団）によって、視聴されている状況に関する情報であればどのようなものであってもよい。例えば、複数の視聴者を母集団とするコンテンツの視聴の状況に関する情報として、視聴率、視聴人数、視聴回数等について累積値や時間的な変遷等を含む。
【００３２】
また、番組コンテンツの視聴の状況に関する情報の他の例としては、当該番組コンテンツがライブで放映中に視聴されたか、当該番組コンテンツが録画されライブで放映された後に視聴されたかによって区別された情報であってもよい。
【００３３】
次に、入力制御部４０５は、ユーザから終了指示の入力を受け付けたか否かを判断する（Ｓ１５）。そして、入力制御部４０５が終了指示を受け付けた場合には（Ｓ１５：Ｙｅｓ）、処理は終了する。一方、入力制御部４０５が終了指示を受け付けていない場合には（Ｓ１５：Ｎｏ）、Ｓ１１へ戻り、ユーザからの入力待ち状態となる。なお、行動情報のさらなる選択切替えや他の条件などを入力してさらに母集団を絞り込む場合には（下記変形例等参照）、Ｓ１５からＳ１１へ戻った際に行われる。
【００３４】
このように本実施形態では、番組コンテンツの視聴率の表示において、ユーザが選択した行動情報の視聴者を母集団とした視聴率を視覚的に表示しているので、番組コンテンツの視聴者の行動に対する効果を分析することが可能となる。
【００３５】
（変形例）
ここで、行動情報としては、上記に限定されるものではない。例えば、行動情報として、所定の商品の予約者の情報、音楽やＶＯＤ（Ｖｉｄｅｏ  Ｏｎ  Ｄｅｍａｎｄ）の視聴に関する情報や特定のアプリケーションやハイブリッドキャストまたはデータ放送の利用者であることを用いることができる。
【００３６】
また、視聴情報としては、視聴率を例にあげて説明したが、これに限定されるものではない。例えば、視聴情報として、番組コンテンツの視聴率の他に、視聴数や、購買数やサービスの利用数、音楽やＶＯＤの視聴数、ホームページの閲覧回数などを指標として用いることができる。
【００３７】
また、本実施形態では、Ｓ１２で母集団の抽出条件として、購買情報等の行動情報を用いていたが、さらに、年代や家族構成、使用している機器、あらかじめ番組を視聴履歴や予約から類似する傾向を有する集団でクラスタを生成し、当該クラスタと組み合わせて抽出条件として用いることができる。
【００３８】
また、集計結果の視聴情報を、ユーザが指定した行動情報ごとに表示する他、複数の条件を並べて表示してさらなる母集団の絞り込みが可能なように構成してもよい。
【００３９】
また、本実施形態では、視聴データを、図７に示すようなヒートマップで表示していたが、これに限定されるものではない。例えば、折れ線グラフや面積、シンボル等を用いて視聴率等の視聴情報を表示するように画像処理部４０３を構成することができる。
【００４０】
また、図８に示すように、矩形の面積（大きさ）と色等の複数の異なる指標を同時に用いて視聴情報を表示するように画像処理部４０３、表示制御部４０４を構成することができる。図８の表示例としては、例えば、矩形の面積の大小で視聴率の高低を表し、第１色の矩形が全視聴率を表し、第２色の矩形が選択ボタン７０１で選択された行動情報の視聴者の視聴率を表すように、画像処理部４０３、表示制御部４０４を構成することができる。さらに、矩形以外の形状で番組コンテンツの視聴情報を表示し、異なる指標を表すように画像処理部４０３、表示制御部４０４を構成してもよい。
【００４１】
また、視聴情報として視聴数を用いる場合に、ライブ視聴（ライブで放映されるコンテンツの視聴）や録画視聴（録画されたコンテンツの視聴）等の視聴種別ごとに視聴数を集計して、行動情報ごとに、ライブ視聴や録画視聴等の視聴数を同時に表示するように画像処理部４０３、表示制御部４０４を構成してもよい。この場合には、図５に示した集計結果データの項目として、視聴種別が設定される必要がある。
【００４２】
また、さらに、視聴数として番組コンテンツの視聴した割合で、母集団を絞り込むように抽出部４０２を構成することができる。この場合には、図５に示した集計結果データの項目として、視聴者ごとの視聴割合が設定される必要がある。
【００４３】
図９では、視聴形態ごとに視聴数を集計して、行動情報ごとに、視聴種別としてのライブ視聴や録画視聴等の視聴数を同時に表示し、かつ視聴割合をユーザに選択させて表示する例を示している。図９に示す表示例では、視聴種別としてのライブ視聴や録画視聴等の視聴数が同時に表示され、かつ右上に、視聴割合の選択ボタン９０１が表示されている。視聴割合としては、図９の例では、３０％以下、３１〜６０％、６１％以上のいずれかを選択可能となっている。このため、ユーザが行動情報を選択した上で、視聴割合の選択を行うと、図６のＳ１１でかかる選択の入力指示を受付け、選択された行動情報で、かつ選択された視聴割合の番組コンテンツのライブ視聴と録画視聴との各視聴数が表示制御部４０４によって表示デバイス２０５に同時に表示される。
【００４４】
（実施形態２）
実施形態２では、実施形態１における番組コンテンツの集計に代えて、曜日や時間などあらかじめ設定した単位での集計やシーン、ＣＭ単位での集計を行って、電子機器４００に表示するものである。実施形態２のネットワーク構成、サーバ１００および電子機器４００のハードウェア構成、機能的構成は実施形態１と同様である。
【００４５】
本実施形態では、サーバ１００では、入力部１０１が、視聴者の年齢を収集して年代ごと、曜日、時間ごとの視聴数や視聴率を集計する。そして、入力部１０１は、集計結果データとして、項目に年代ごと、曜日、時間ごとの視聴数や視聴率を設定して、電子機器４００に送信する。
【００４６】
電子機器４００では、受信した集計結果データを、実施形態１と同様に、画像処理部４０３で整形および画像処理して、表示制御部４０４が表示デバイス２０５に表示する。図１０は、実施形態２の視聴データの表示例を示す図である。図１０においても、矩形の濃淡が視聴率の高低を示している。図１０に示すように、年代ごとに、曜日、時間を単位とした視聴率が表示される。図１０に示す画面において、左上の行動情報の選択ボタン７０１で所望の行動情報がユーザによって選択されると、実施形態１と同様に、図６のＳ１２で、抽出部４０２が集計結果データから選択された行動情報のデータを抽出して、Ｓ１３で画像処理部４０３が抽出データを整形および画像処理して、Ｓ１４で表示制御部４０４が抽出データを表示デバイス２０５に表示する。この結果、選択された行動情報に関する年代毎の曜日、時間の視聴率が表示されることになる。
【００４７】
また、本実施形態では、サーバ１００では、入力部１０１が、番組コンテンツの視聴情報だけでなく、番組コンテンツを構成するシーンやＣＭの視聴情報（視聴率、視聴数）を収集して集計する。そして、入力部１０１は、集計結果データとして、番組コンテンツの一つの番組名に複数のシーンやＣＭの視聴情報を項目に設定して、電子機器４００に送信する。
【００４８】
電子機器４００では、受信した集計結果データを、実施形態１と同様に、画像処理部４０３で整形および画像処理して、表示制御部４０４が表示デバイス２０５に表示する。図１１は、実施形態２の視聴データの他の表示例を示す図である。図１１においては、視聴情報として視聴数を折れ線グラフで視聴データが表示される。図１１に示すように、シーンおよびＣＭごとの視聴数が表示される。図１０に示す画面において、左上の行動情報の選択ボタン７０１で所望の行動情報がユーザによって選択されると、実施形態１と同様に、図６のＳ１２で、抽出部４０２が集計結果データから選択された行動情報のデータを抽出して、Ｓ１３で画像処理部４０３が抽出データを整形および画像処理して、表示制御部４０４が抽出データを表示デバイス２０５に表示する。この結果、選択された行動情報に関するシーン、ＣＭ毎の視聴数が表示されることになる。
【００４９】
このように本実施形態では、電子機器４００は、曜日や時間などあらかじめ設定した単位での集計やシーン、ＣＭ単位での集計を行って、視聴情報を電子機器４００に表示しているので、コンテンツの視聴者の行動に対する効果を分析することが可能となる。
【００５０】
（変形例）
ここで、番組コンテンツやシーンの視聴数や視聴率等として、ライブシーンやスポーツで得点を入れたシーン、ユーザが指定したタレントが出演しているシーンなどの特定シーン、選択したＣＭや清涼飲料水やＣＤなど特定のジャンルに関するＣＭやＣＭ全体の視聴数や視聴率に、さらに絞り込んで抽出や集計を行って、視聴データを表示するように、入力部１０１、抽出部４０２、画像処理部４０３、表示制御部４０４を構成してもよい。この場合には、例えば、図１０に示す視聴数が、行動情報ごとのシーンに、上記特定のシーンや特定のＣＭの対応したものとなる。
【００５１】
（実施形態３）
実施形態３では、視聴者の全世代の平均に対する各世代の差分を集計して、視聴データを他の区分との差分で表示するものである。実施形態３のネットワーク構成、サーバ１００および電子機器４００のハードウェア構成、機能的構成は実施形態１と同様である。
【００５２】
本実施形態では、サーバ１００では、入力部１０１が、母集団である視聴者の年齢を収集して全年代の視聴の状況に関する平均値（例えば視聴数の平均値）、母集団の一部である年代ごとの視聴の状況に関する平均値（例えば、視聴数の平均値）、両者の差分を算出して集計する。そして、入力部１０１は、集計結果データとして、項目に、全年代の視聴の状況に関する平均値、例えば視聴数の平均値と、各年代ごとの視聴の状況に関する平均値、例えば視聴数の平均値と、の差分を設定して、電子機器４００に送信する。
【００５３】
電子機器４００では、受信した集計結果データを、実施形態１と同様に、画像処理部４０３で整形および画像処理して、表示制御部４０４が表示デバイス２０５に表示する。図１２は、実施形態３の視聴データの表示例を示す図である。図１２において、年代毎に、全年代の視聴数の平均値と各年代ごとの平均値の差分が表示されている。
【００５４】
図１２に示す画面において、左上の行動情報の選択ボタン７０１で所望の行動情報がユーザによって選択されると、実施形態１と同様に、図６のＳ１２で、抽出部４０２が集計結果データから選択された行動情報のデータを抽出して、Ｓ１３で画像処理部４０３が抽出データを整形および画像処理して、Ｓ１４で表示制御部４０４が抽出データを表示デバイス２０５に表示する。この結果、選択された行動情報に関する年代毎に、全年代の視聴数の平均値と各年代ごとの平均値の差分が表示されることになる。
【００５５】
このように本実施形態によれば、視聴者の全世代の平均に対する各世代の差分を集計して、視聴データを他の区分との差分で表示するので、コンテンツの視聴者の行動に対する効果をより詳細に分析することが可能となる。
【００５６】
（変形例）
また、視聴情報の代わりにＣＭの放送回数やタレントの出演情報、地方局での放送の引き当てを行い、地方での放送局数などの番組情報と組み合わせて集計して表示するように、入力部１０１、抽出部４０２、画像処理部４０３、表示制御部４０４を構成してもよい。例えば、図７の例において、ＣＭの多少、特定のタレントやグループの出演数の多少、全国ネットの番組か一部の地方に対応した番組か等によって矩形の濃淡を変えて表示するようにすることができる。
【００５７】
（実施形態４）
実施形態４では、例えば、図７の表示の前に、全国地図を表示し、全国地図上で、ユーザが入力デバイス２０６で選択した地域で放送されている番組コンテンツの視聴情報を集計して表示デバイス２０５に表示するように、入力部１０１、抽出部４０２、画像処理部４０３、表示制御部４０４を構成している。その他の構成は実施形態１と同様である。
【００５８】
図１３は、このようなユーザインターフェースの一例を示す図である。左側の全国地図でユーザは所望の地域を選択すると、抽出部４０２は、集計結果データから、ユーザが指定した地域でも放映されている番組コンテンツとその視聴情報を抽出する。そして、図１３の右側の図に示すように、抽出された番組コンテンツとその視聴情報が表示される。
【００５９】
このように本実施形態によれば、ユーザにより選択した地域で放送されている番組コンテンツの視聴情報を集計して表示デバイス２０５に表示するので、コンテンツの視聴者の行動に対する効果をより詳細に分析することが可能となる。
【００６０】
また、入力デバイス２０６は、行動情報に加えて、地域の指定を受け付けても良い。入力デバイス２０６を介して、行動情報に加えて、地域が指定されるとき、表示制御部４０４が、表示デバイス２０５に表示する複数の番組コンテンツの視聴の状況に関する情報（例えば、第１コンテンツの視聴の状況に関する情報、又は第２コンテンツの視聴の状況に関する情報）のうち少なくとも一つが、指定された地域に対応する視聴者の視聴に関する状況の情報、例えば、指定された行動を行った視聴者のうち、指定された地域の視聴数等を表示する。
【００６１】
（実施形態５）
実施形態５では、視聴情報の表示画面において、特定の番組コンテンツをユーザが指定した場合に、選択された番組コンテンツと同一の番組コンテンツの異なる話数や再放送、別の地域で放送されている同一番組を地域ごとに集計や抽出等して、選択した番組と類似する番組に関する集計結果を表示するものである。
【００６２】
例えば、図７に示すような行動情報ごとの視聴情報の表示画面において、ユーザが入力デバイス２０６で特定の番組コンテンツの矩形を指定したとする。この場合、抽出部４０２は、図６のＳ１２で、集計結果データから、ユーザに指定された矩形の番組コンテンツと同一の番組コンテンツの異なる話数や再放送、別の地域で放送されている同一番組を地域ごとに抽出する。
【００６３】
そして、図６のＳ１３で画像処理部４０３が抽出データを整形および画像処理して、Ｓ１４で表示制御部４０４が抽出データを表示デバイス２０５に表示する。この結果、図１４に示すように、ユーザに指定された矩形の番組コンテンツと同一の番組コンテンツの異なる話数や再放送、別の地域で放送されている同一番組の視聴情報が地域ごとに表示されることになる。図１４の例では、ユーザに指定された矩形の番組コンテンツと同一の番組コンテンツの異なる話数や再放送、別の地域で放送されている同一番組の視聴率の地域ごとの大小を、全国地図における都道府県の色の濃淡で示している。但し、表示形態はこれに限定されるものではない。
【００６４】
このように本実施形態では、視聴情報の表示画面において、特定の番組コンテンツをユーザが指定した場合に、選択された番組コンテンツと同一の番組コンテンツの異なる話数や再放送、別の地域で放送されている同一番組を地域ごとに集計や抽出等して、選択した番組と類似する番組に関する集計結果を表示する。このため、本実施形態によれば、番組コンテンツの視聴者の行動に対する効果をより詳細に分析することが可能となる。
【００６５】
（実施形態６）
実施形態６では、視聴情報の表示画面において、特定の番組コンテンツをユーザが指定した場合に、選択された番組コンテンツに含まれるシーンの単位や秒単位など任意の時間区間で、選択する番組コンテンツに関する視聴情報を表示するものである。
【００６６】
ここで、サーバ１００は、実施形態２と同様に、集計結果データに、番組コンテンツに含まれるシーンやＣＭに関する視聴情報を含めて、電子機器４００に送信する。
【００６７】
電子機器４００では、例えば、図７に示すような行動情報ごとの視聴情報の表示画面において、ユーザが入力デバイス２０６で特定の番組コンテンツの矩形を指定したとする。この場合、抽出部４０２は、図６のＳ１２で、集計結果データから、ユーザに指定された矩形の番組コンテンツに含まれるシーンやＣＭ、秒単位の視聴情報を抽出する。
【００６８】
そして、図６のＳ１３で画像処理部４０３が抽出データを整形および画像処理して、Ｓ１４で表示制御部４０４が抽出データを表示デバイス２０５に表示する。この結果、図１５に示すように、右側にユーザに指定された矩形の番組コンテンツに含まれるシーンやＣＭの視聴情報（視聴率、視聴数）が表示されることになる。なお、図１５の右側に表示された図は、実施形態２において表示される図１１の画面と同様である。
【００６９】
このように本実施形態では、視聴情報の表示画面において、特定の番組コンテンツをユーザが指定した場合に、選択された番組コンテンツに含まれるシーンの単位や秒単位など任意の時間区間で、選択する番組コンテンツに関する視聴情報を表示する。このため、本実施形態によれば、番組コンテンツの視聴者の行動に対する効果をより詳細に分析することが可能となる。
【００７０】
（実施形態７）
実施形態７は、指定された番組コンテンツ（特定のコンテンツ）を視聴した視聴者に母集団をさらに絞り込み、絞り込んだ母集団における範囲での視聴情報の表示を行うものである。
【００７１】
例えば、図７に示すような行動情報ごとの視聴情報の表示画面において、ユーザが入力デバイス２０６で特定の番組コンテンツの矩形を指定したとする。この場合、図６のＳ１２で、抽出部４０２は、集計結果データから、ユーザに指定された矩形の番組コンテンツを視聴した視聴者に母集団を絞り込んで、視聴情報を抽出する。
【００７２】
そして、図６のＳ１３で画像処理部４０３が抽出データを整形および画像処理して、Ｓ１４で表示制御部４０４が抽出データを表示デバイス２０５に表示する。この結果、右側にユーザに指定された矩形の番組コンテンツを視聴した視聴者の視聴情報が表示されることになる。
【００７３】
このように本実施形態は、指定された番組コンテンツを視聴した視聴者に母集団をさらに絞り込み、絞り込んだ母集団における範囲での視聴情報の表示を行うので、番組コンテンツの視聴者の行動に対する効果をより詳細に分析することが可能となる。
【００７４】
なお、上記実施形態１〜７および変形例において、電子機器４００の抽出部４０２が絞り込んで抽出するためのデータが既に受信した集計結果データに含まれていない場合には、サーバ１００に問い合わせて当該データを取得するように電子機器４００を構成してもよい。
【００７５】
上記実施形態１〜７および変形例において、サーバ１００において集計、電子機器４００において集計結果データからの抽出、画像処理、表示制御を行っているが、これらの処理の分担はこれに限定されるものではない。例えば、全ての処理、又は集計の処理を電子機器４００で行うように電子機器４００を構成してもよい。また、集計、抽出、画像処理を、サーバ１００で行って、画像処理された視聴データを電子機器４００に送信して、電子機器４００で表示するように構成することもできる。
【００７６】
本実施形態のサーバ１００、電子機器４００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【００７７】
また、本実施形態のサーバ１００、電子機器４００で実行されるプログラムを、インターネット等のネットワークに接続されたコンピュータ上に格納し、ネットワーク経由でダウンロードさせることによりコンピュータプログラムプロダクトとして提供するように構成しても良い。また、本実施形態のサーバ１００、電子機器４００で実行されるプログラムをコンピュータプログラムプロダクトとしてインターネット等のネットワーク経由で提供または配布するように構成しても良い。
【００７８】
また本実施形態のサーバ１００、電子機器４００で実行されるプログラムを、ＲＯＭ等に予め組み込んでコンピュータプログラムプロダクトとして提供するように構成してもよい。
【００７９】
本実施形態のサーバ１００、電子機器４００で実行されるプログラムは、上述した機能ブロックの各部を含むモジュール構成となっており、実際のハードウェアとしてはＣＰＵ２０１が上記記憶媒体からプログラムを読み出して実行することにより上記各部がＲＡＭ２０３上にロードされ、各部がＲＡＭ２０３上に生成されるようになっている。
【００８０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８１】
１００  サーバ
１０１  入力部
１０２  通信部
４００  電子機器
４０１  通信部
４０２  抽出部
４０３  画像処理部
４０４  表示制御部
４０５  入力制御部
２０５  表示デバイス
２０６  入力デバイス
【図１】
2016103216.tif 000003
【図２】
2016103216.tif 000004
【図３】
2016103216.tif 000005
【図４】
2016103216.tif 000006
【図５】
2016103216.tif 000007
【図６】
2016103216.tif 000008
【図１１】
2016103216.tif 000009
【図１２】
2016103216.tif 000010
【図７】
2016103216.tif 000011
【図８】
2016103216.tif 000012
【図９】
2016103216.tif 000013
【図１０】
2016103216.tif 000014
【図１３】
2016103216.tif 000015
【図１４】
2016103216.tif 000016
【図１５】
2016103216.tif 000017